(57)【特許請求の範囲】
【請求項１】
走行形状(１５)に案内されるスライドドア(２、３)を案内するガイドデバイスであって、
a) スライドドア(２、３)が沿って変位されるガイド形状部(５、７)と、
b) スライドドア(２、３)に固定される少なくとも１つのガイド部(６、８)とを備え、
c) 前記ガイド形状部(５、７)及び少なくとも１つのガイド部(６、８)は互いに連結されて、スライドドア(２、３)はガイド形状部(５、７)に沿って案内されるガイドデバイスにおいて、
d) 前記ガイド形状部(５、７)及び少なくとも１つのガイド部(６、８)は互いに包含するように部分的に噛み合う方法で互いに連結され、
前記ガイド部(６、８)はベース角片及びガイド形状部(５、７)に連結されるヘッド部(６３、８３)を備え、
ガイド部(６)のヘッド部(６３)は、ガイド形状部(５)に対向し弾性的に撓み可能な溝脚部(６４)間に開口(６６)を備えた受入れ溝(６５)を備えて、ガイド形状部(５)のヘッド要素(５３)を受け入れ、該ガイド形状部(５)のヘッド要素(５３)はガイド形状部(５)の長軸に直交した断面を有し、その最大垂直幅(ｂｋ)は、ガイド部(６)の受入れ溝(６５)の開口(６６)の幅(ｂｏ)よりも大きい、ガイドデバイス。
【請求項２】
前記ガイド形状部(５、７)又はガイド部(６、８)は、ガイド部(６、８)又はガイド形状部(５、７)の包含要素を大凡Ｃ字形の方法で囲むように形成される、請求項１に記載のガイドデバイス。
【請求項３】
前記ガイド形状部(５、７)及び少なくとも１つのガイド部(６、８)は、ガイド形状部(５、７)の長軸に直交して互いに連結される、請求項１又は２に記載のガイドデバイス。
【請求項４】
前記ガイド部(６、８)は一体的に形成される、請求項１乃至３の何れかに記載のガイドデバイス。
【請求項５】
前記ガイド部(６、８)は幾つかの部分から形成される、請求項１乃至４の何れかに記載のガイドデバイス。
【請求項６】
前記ヘッド部(６３、８３)は、ガイド部(６、８)のベース角片に摩擦ロック、噛み合い及び/又は物質的に接着される方法で固定される、請求項５に記載のガイドデバイス。
【請求項７】
ガイドデバイスは、スライドドア(２、３)に取り付けられた状態で互いに離れた少なくとも２つのガイド部(６、８)を備え、該ガイド部(６、８)はガイド形状部(５、７)に連結される、請求項１乃至６の何れかに記載のガイドデバイス。
【請求項８】
前記ガイド形状部(５)のヘッド要素(５３)は、ベース要素(５１)から延びる脚部(５２)の自由端部として形成される、請求項１に記載のガイドデバイス。
【請求項９】
前記ガイド部(６)のヘッド部(６３)はガイド形状部(７)の長軸に直交した断面を有し、その最大垂直幅(ｂｋ)は弾性的に撓み可能な溝脚部(７３)を備えたガイド形状部(７)の受入れ溝(７２)の開口(７５)の幅(ｂｏ)よりも大きく、開口はガイド部(８)に対向している、請求項１乃至８の何れかに記載のガイドデバイス。
【請求項１０】
ガイド形状部(５)のヘッド要素(５３)の断面、又はガイド部(８)のヘッド部(８３)の断面は、ガイド部(６)の受入れ溝(６５)、又はガイド形状部(７)の受入れ溝(７２)に向かってテーパ付けられるように形成された、請求項１乃至９の何れかに記載のガイドデバイス。
【請求項１１】
ガイド形状部(５)のヘッド要素(５３)の収束する第１の側面(５３１、８３１)間の角度(α)、又はガイド部(８)のヘッド部(８３)の角度(α)は水平方向に対して、５０°と１００°の間である、請求項１０に記載のガイドデバイス。
【請求項１２】
脚部(５２)を向くガイド形状部(５)のヘッド要素(５３)の側部上の相互に収束する第２の側面(５３２、８３２)間の角度、又はベース角度片に対向するガイド部(８)のヘッド部(８３)の側部の角度は１２０°と１７０°の間である、請求項１０又は１１に記載のガイドデバイス。
【請求項１３】
相互に収束するガイド部(６)の脚部(６８)間の成す角度(γ)、又は相互に収束するガイド形状部(７)の脚部(７８)間の成す角度(γ)は１２０°と１７０°の間である、請求項１０、１１又は１２に記載のガイドデバイス。
【請求項１４】
前記ガイド部(６、８)のベース角片は成形されたワイヤ部として形成された、請求項１乃至１３の何れかに記載のガイドデバイス。
【請求項１５】
前記ガイド部(６、８)のヘッド部(６３、８３)及びガイド形状部(５７)は、相互に異なる材料から作られる、請求項１乃至１４の何れかに記載のガイドデバイス。
【請求項１６】
家具本体と走行形状(１５)に沿って変位される少なくとも１つのスライドドア(２、３)と、ガイド形状部(５、７)を備えるキャビネット家具(１)であって、
請求項１乃至１５の何れかに記載のガイドデバイスがスライドドア(２、３)に配備された、キャビネット家具(１)。
【請求項１７】
少なくとも１つの受入れ溝(７２)を備えた前記ガイド形状部(７)は、キャビネット家具(１)のベースボード(１４)に固定された、請求項１６に記載のキャビネット家具(１)。
【発明の詳細な説明】
【技術分野】
【０００１】
本発明は、請求項１の前提部に従ってスライドドアを走行形状部(profile)上にて案内するガイドデバイス及び１点のキャビネット家具に関する。
【背景技術】
【０００２】
一般的なガイドデバイスは、例えばヨーロッパ公開公報0388623A2から公知である。
この出願では、回転可能なガイドスライド又はローラを備えたガイド部が示される。該ガイド部分により、上走行形状部にて懸垂された後に底ガイド形状部に対して単にドアを押すことにより、スライドドアを底ガイド形状部に取り付けることができる。スライドドアはこのように、スライド面に直交する方向に関してもたらされる(yield)ことに対して案内される。
【０００３】
スライドドアが走行形状の限界ストッパ又は減衰ユニットで規定される端部位置に高速で押されるとき、スライドドアを通して望ましからぬ揺れがスライドドア領域の垂直面内にて各対策もなく生じるのは問題である、何故ならスライド面に直交することに関して高さ方向にもたらされることは不十分にしか防止されない。端部位置の箇所に対向するガイド部が高さ方向に垂直にガイド部自身を付随的に支持しても、端部位置の箇所から離れたガイド部は対応する動きを受けるが、接触面が無い故にガイド部自身を支持することが出来ず、力の吸収に寄与しない。
【０００４】
これを防ぐべく、ガイド形状部にも所謂限界ストッパを設けることが公知である。この工程において、ガイド形状部内の前記の限界ストッパに対向するガイド部は、限界ストッパに対向して移動する。スライドドアを案内するこれらのガイド部は走行形状及び走行形状上を走行するスライドドアの走行部よりも不安定な方法でしばしば配置されるから、ガイド部の強い撓みが生じる、何故ならこの場合、限界ストッパに対向するガイド部のみが衝撃時に生じる全ての力を吸収しなければならないからである。
【０００５】
本発明の目的は、走行形状を案内されるスライドドアを案内するガイドデバイスを付与して、該ガイドデバイスを用いて端部位置に移行する際のスライドドアを通るそのような揺れが軽減され、ガイド形状部内のそのような限界ストッパの配置を無くすことにある。
この目的は、請求項１の特徴を備えた走行形状上をガイドされるスライドドアを案内するガイドデバイス、及び請求項１８の特徴を備えた１点のキャビネット家具によって達成される。
【発明の概要】
【０００６】
本発明に従ったガイドデバイスは、ガイド形状部を備え、該ガイド形状部上でスライドドアが変位可能であり、及びスライドドア上に配置され得る少なくとも１つのガイド部を備える。ガイド形状部及び少なくとも１つのガイド部は互いに連結され、ガイド形状部に沿って案内される。ガイド形状部及び少なくとも１つのガイド部は互いに包含することによって少なくとも一部が噛み合うように互いに連結される。
【０００７】
これにより、一方でより簡単なドア取付けが可能になる、何故ならこの場合、走行形状内でスライドドアを吊設した後に、複雑で回転可能なガイド部を備えるガイドデバイス無しに、ガイド形状部の領域でガイド形状部に対してドアを単に押すだけでよいからである。
【０００８】
ガイド形状部と少なくとも１つのガイド部によって、少なくとも一部が包含するように連結して係合する結果、スライドドアが端部位置まで移動する際にスライドドアの急ブレーキの結果として生じる垂直に作用する力の場合、該力はガイド形状部に連結される１つのガイド部の場合、ガイド形状部の長軸方向にて、ガイド部の長手方向に亘って分布され、ガイド部の力が次から次へと伝わることは効果的に防止される。
【０００９】
ガイドデバイスは、できるだけ遠くに互いに離れた２つのガイド部を備えているのが好ましい、何故なら特に垂直に作用する力は特に有利な方法で遮断されるからである。１つのガイド部のみにて、垂直力を遮断することは、比較的広く形成されれば、全く効果的ではない。
本発明に従ったガイドデバイスはまた、原則的に１又は２以上のガイド部にて形成される。
【００１０】
本発明の有利な実施形態は、従属請求項の主題事項である。
好ましい実施形態に従って、ガイド部はベース角片及びガイド形状部に連結され得るヘッド部を備える。
【００１１】
好ましい実施形態に従って、ガイド部は一体的に形成される。更なる実施形態に従って、ガイド部は幾つかの部分を備え、特に２つの部分から形成される。特に好ましい方法では、ベース角片はヘッド部とは異なる材料から生成される。ベース角片は例えば金属から作られ、例えばボルトによってスライドドアに一緒に固定される。
【００１２】
特に好ましい方法では、ガイド部のヘッド部とガイド形状部は相互に異なるプラスチック材料から作られる。これらの要素をプラスチック材料から生成することは、ブレーキ工程時に作用する力の広範な分布の結果として可能である。コスト的に有効な生成に加えて、ガイド形状部と少なくとも１つのガイド部を互いに簡単に連結し且つ分離することに関する利点もある。
【００１３】
ガイド部のヘッド部を第１のプラスチック材料から生成し、ガイド形状部を第２のプラスチック材料から生成することにより、スライドドアのスライド時にこれらの要素が互いにスライド動作する際に、騒がしいノイズが発生することを阻止する。
ヘッド部はガイド部のベース角片に摩擦ロック、噛み合い及び/又は物質的に接着される方法で固定されるのが好ましい。
【００１４】
上記で述べたように、所定幅の１つのガイド部をスライドドアに取り付け、スライドドアのブレーキ時に力を十分に分散することは可能である。
【００１５】
特に好ましい実施形態において、ガイドデバイスは２つのガイド部を備え、該ガイド部はスライドドアに固定され、取付け状態でスライドドア上にて互いに距離を置いてガイド形状部に固定されるように連結される。これにより、一方のガイド部はスライドドアのブレーキ時に垂直下向きに作用する力を吸収し、然るに他方のガイド部は垂直上向きに作用する力を吸収し、このようにしてスライドドア全体の揺れを実質的に防ぐ。
【００１６】
好ましい実施形態に従って、ガイド部のヘッド部は弾性的に撓み可能な溝脚部間に開口を備えた受入れ溝を備え、開口はガイド形状部に対向する。前記受入れ溝はガイド形状部のヘッド要素を収納するのに用いられ、ヘッド要素はガイド形状部の長軸に直交した断面を有し、その最大垂直幅はガイド部の受入れ溝の開口の垂直幅よりも大きい。
【００１７】
代替の実施形態において、受入れ溝は弾性的に撓み可能な溝脚部を備えたガイド形状部の一部であり、その中にガイド部のヘッド部が受け入れられる。ガイド形状部の長軸に直交したヘッド部の断面は、ガイド形状部の受入れ溝の開口の垂直幅よりも大きい。
この方法で形成された連結ユニットにより、ジョイントを用いることなく、ガイド形状部を少なくとも１つのガイド部に簡単に連結することが可能となり、ジョイントは別の方法では、走行形状にスライドドアを取り付けた後にガイド形状部とガイド部間の接続を可能にするために、従来技術に従って必要である。
【００１８】
不用意な分離に対する鉤(barb)を一応形成するアンダーカットが形成されている限り、ガイド形状部のヘッド部の断面形状又はガイド部のヘッド部の断面形状は、適宜選択される。好ましい実施形態では、断面は台形又は大凡円形又は卵形である。
代替の実施形態に従って、ガイド形状部のヘッド要素の断面又はガイド部のヘッド部の断面は、ガイド部の受入れ溝又はガイド形状部の受入れ溝に対してテーパ付けられるように形成される。
【００１９】
特に好ましい実施形態に従って、相互に収束するガイド形状部のヘッド要素の第１の側面間の角度α、又はガイド部のヘッド部の角度は５０°と１００°の間、好ましくは６０°と８０°の間であり、ヘッド部を受入れ溝に簡単に挿入することが出来る。
【００２０】
脚部を向くガイド形状部のヘッド要素の側部上の相互に収束する第２の側面間の角度、又はベース角度片に対向するガイド部のヘッド部の側部の角度は１２０°と１７０°の間、好ましくは１４０°と１６０°の間であり、取付けよりも大きな力の入力により、ガイド形状部からガイド部を分離することができ、不用意な取り外しを確実に防ぐ。
ガイド部とガイド形状部の比較的容易な連結と困難な分離を可能とすべく、ガイド形状部のヘッド要素の前側の角度又はガイド部のヘッド部の角度は、ヘッド要素の後側の角度よりも平坦に配置される。
【００２１】
ヘッド部又はヘッド要素に対応するものとして作用するガイド部又はガイド形状部の受入れ溝は大凡Ｃ字形に形成されて、アンダーカットの機能をサポートする。受入れ溝のＣ字形は、対称面が水平に配置されるように形成されるのが好ましい。
ガイド部とガイド形状部の取付け状態における少なくとも一部が連結した包含係合は、端部位置の外側へスライドドアが変位する際に、これらの要素が接触していることを必ずしも意味しない。各接触面間の接触は、スライドドアが各端部位置に達した際にむしろ生じる。
本発明に従った１点のキャビネット家具は、スライドドアの上に配置されたガイドデバイスによって特徴付けられ、上記の如く配備される。
【００２２】
好ましい実施形態に従って、ガイド形状部はキャビネット家具のべースボード又は幅木に固定され得る。
代替の実施形態において、少なくとも１つの受入れ溝を備えたガイド形状部は、キャビネット家具のベースボード又は幅木に一体化され得る。
ガイドデバイスをスライドドアの上領域、又はキャビネット家具の天井パネル及びスライドドアの底領域に走行デバイスを備えた走行形状、又はベースボード又はベース板上/内に配置することも考えられ、ある意味、使用位置の切換を意味する。
【図面の簡単な説明】
【００２３】
本発明の好ましい実施形態が同封の図面を参照してより詳細に説明される。
【図１】本発明に従った１点のキャビネット家具の実施形態の斜視図を示す。
【図２】本発明に従ったガイドデバイスの実施形態の斜視図を示す。
【図３ａ】図２のガイドデバイスの断面図であり、連結前を示す。
【図３ｂ】図２のガイドデバイスの断面図であり、連結状態を示す。
【図４ａ】ガイドデバイスの他の実施形態の図３aに対応した断面図であり、ガイド形状部に一体に形成された受入れ溝を備えている。
【図４ｂ】ガイドデバイスの他の実施形態の図３bに対応した断面図であり、ガイド形状部に一体に形成された受入れ溝を備えている。
【図５】２つの部分に形成されたガイド部の斜視図である。
【図６】２つの部分に形成されたガイド部の斜視図である。
【図７】図３aに符号VIIでマーク付けられたガイドデバイスの詳細な部分図である。
【図８】図４aに符号VIIIでマーク付けられたガイドデバイスの詳細な部分図である。
【発明を実施するための形態】
【００２４】
以下の図面の記載にて、頂部、底、左、右、前、後等の用語は、各図面に選択されるように、ガイドデバイス、ガイド形状部、ガイド部、ヘッド部、脚部、ベース要素、受入れ溝等の図示及び位置にのみ言及する。これらの用語は限定的に理解すべきでなく、即ちこれらの符号は、異なる作業位置又は鏡面構成等によって変更される。
【００２５】
本発明に従った１点のキャビネット家具１の実施形態が図１に符号１で示される。１点のキャビネット家具１は側壁１１、１又は数枚の天井パネル１２、及び１又は数枚のベースパネル１３を備えた家具本体を備える。
走行形状１５が天井パネル１２に接近して側壁１１間に取り付けられ、該走行形状上に２つのスライドドア２、３がここに示される実施形態にて上走行形状１５に沿って変位可能に取り付けられる。
【００２６】
この目的から、上走行デバイス４がスライドドア２、３に固定され、走行デバイスは上走行形状１５上に位置する回転要素又はスライド要素を備えるのが好ましく、スライドドア２、３は上走行形状１５上で変位可能である。スライドドア２、３は夫々の端部位置内で限界ストッパ又は減衰デバイス１６に対して動かされるのが好ましい。
上走行形状１５内を案内されるスライドドア２、３の底部を案内する実施形態のガイドデバイスは、キャビネット家具１のベース領域に取り付けられる。
【００２７】
図２から図４、図７及び図８に示されるように、ガイドデバイスはガイド形状部５、７を備え、該ガイド形状部に沿って２つのスライドドア２、３が変位可能にガイドされる。
そのような１点のキャビネット家具１に１つだけのスライドドア又は２つ以上のスライドドアを付与することも考えられる。
【００２８】
ガイドデバイスは更に、スライドドア２、３に固定される少なくとも１つのガイド部６、８を備える。前記ガイド部６、８は、固定脚部６１、８１を備えたベース角片及び固定脚部へ好ましくは直交して延びる脚部６２、８２、及び第２脚部６２、８２の自由端部に配置されたヘッド部６３、８３を備えるのが好ましい。
【００２９】
固定脚部６１、８１は、平坦に形成され、スライドドア２、３の内側に位置する表面を有して、該表面内に試錐孔が付与されて、該試錐孔を通ってネジが案内され、該試錐孔を用いてガイド部６、８がスライドドア２、３にボルト止めされるのが好ましい。例えば、スナップオン接続又はスライドドアの底縁を包含するＵ字形の固定脚部による他の固定の可能性も考えられる。
図５及び図６に示すように、脚部６２、８２も平坦に形成される。図２に示すように、互いに平行に延び、ヘッド部６３、８３を固定脚部６１、８１に接続する幾つかのウエブの形式の脚部６２、８２の構成も考えられる。
【００３０】
ガイド形状部５、７及び示された実施形態では２つのガイド部６、８として示される少なくとも１つのガイド部６、８は、スライドドアが上走行形状１５上に取り付けられた後に、スライドドア２、３の取付け状態で、互いに連結されるように形成され、スライドドアはガイド形状部５、７に沿って案内される。
【００３１】
特に図３a、図３b、図４a及び図４bに詳細に示すように、ガイド形状部５、７及び少なくとも１つのガイド部６、８は、ガイド形状部の長軸に直交して互いに連結され、噛み合う方法で少なくとも部分的に互いに包含する。これにより、スライドドアとガイド部は上走行形状１５上に取り付けられた後に、簡単な方法で一緒にガイド形状部に対して押され得る。図３a、図３b及び図７に示された実施形態にて、ガイド部６のヘッド部６３はガイド形状部５のヘッド要素５３を受け入れる受入れ溝６５を備えている。
【００３２】
受入れ溝６５はガイド形状部５に対向した開口６６を備える。受入れ溝６５は２つの弾性的に撓み可能な溝脚部６４にて実質的に形成され、溝脚部の自由端部間に開口６６が付与される。
ガイド形状部のヘッド要素５３は、ガイド形状部５の長軸に直交した断面を有し、その最大の垂直幅ｂｋは、ガイド部６の受入れ溝６５の開口６６の幅ｂｏよりも大きい。
【００３３】
ガイド形状部５のヘッド要素５３は、ベース要素５１から延びるガイド形状部５の脚部５２の自由端部として形成される。
示された実施形態では２つのヘッド要素５３であるガイド形状部５のヘッド要素５３の数は、とりわけガイド形状部５に案内されるスライドドア２、３の数に依る。
【００３４】
図４a及び図４bに示す代替の実施形態では、受入れ溝７２はガイド形状部７の一部である。
この場合にて、ガイド部８のヘッド部８３はガイド形状部７の長軸に直交した断面を有し、その最大の垂直幅ｂｋは、ガイド部８に対向するガイド形状部７の受入れ溝７２の開口７５の幅ｂｏよりも大きい。この場合も、受入れ溝７２は２つの弾性的に撓み可能な溝脚部７３にて形成され、該溝脚部はガイド形状部７のベース要素７１からガイド部８に延びる。
【００３５】
図４a及び図４bに示すように、喉要素８４がヘッド部８３とガイド部８の脚部８２の間に一体的に取り付けられ、該喉要素８４の垂直幅は受入れ溝７２の開口７５の幅ｂｏよりも小さい。
脚部８２を固定脚部８１からヘッド部８３へテーパ付けるように形成して、ヘッド部８３の直ぐ背後の領域が夫々狭い構成を備えていることも考えられる。
【００３６】
この実施形態では、ガイド形状部５のヘッド要素５３の断面、又はガイド部８のヘッド部８３の断面は、台形に形成されているが、如何なる他の形状、特に大凡円形又は卵形でもよい。関連する態様では、不用意な分離に対する鉤(barb)を形成するアンダーカットが形成されている。
或いは、ガイド形状部５のヘッド要素５３の断面、又はガイド部８のヘッド部８３の断面は、図２から図８に示すように、ガイド部６の受入れ溝６５又はガイド形状部７の受入れ溝７２に向かうテーパに形成されている。
【００３７】
図７及び図８に示すように、相互に収束するガイド形状部５のヘッド要素５３の第１の側面５３１、８３１間の角度α、又はガイド部８のヘッド部８３の角度αは５０°と１００°の間、好ましくは６０°と８０°の間であり、低い力の入力により、ガイド形状部５、７とガイド部６、８を分離することが出来、鋭角αの下で、ヘッド要素５３又はヘッド部８３は受入れ溝内に貫通することが出来る。
【００３８】
取付け前に受入れ溝６５、７２の外方を向くヘッド要素５３又はヘッド部８３は、脚部５２を向くガイド形状部５のヘッド要素５３の側部上の相互に収束する第２の側面５３２、８３２間の角度β、又はベース角度片に対向するガイド部８のヘッド部８３の側部の角度βは１２０°と１７０°の間、好ましくは１４０°と１６０°の間であり、このように鈍角を形成する。
【００３９】
１２０°と１７０°の間、好ましくは１４０°と１６０°の間である角度γはガイド部６又はガイド形状部７の脚部６８、７８に形成されて、不用意な分離を効果的に防ぐように効果をサポートする。
角度α及びγは、それらの値が大凡等しくなるように選択されるのが好ましい。
互いの要素を分離するには、結合よりも大きな力が加えられなければならないことが確実になる。
【００４０】
一実施形態では、ガイド部６、８は一体に形成され、例えばそれは図３a、図３b、図４a及び図４bに示され、受入れ溝６５を備えて形成されたヘッド部６３は脚部６２の自由端部に一体に取り付けられる。
同じ内容が、ガイド形状部７の受入れ溝７２内に挿入されるガイド部８のヘッド部８３に当て嵌まる。
【００４１】
図５及び図６に示す代替の実施形態では、ガイド部６、８は、多数の部分、特に２つの部分から形成される。
ヘッド部６３、８３のガイド部６、８のベース角片への固定は、固定脚部６１、８１に対向するヘッド部６３、８３の端部が脚部６７、８７間に配置された溝６９、８９を備え、該溝にベース角片の脚部６２、８２の部分領域が挿入される方法で生じるのが好ましい。
摩擦ロック、噛み合い及び/又は物質的に接着される方法、好ましくは接着及び/又はスナップオンにて結合することにより確実な固定が生じる。
【００４２】
ガイド部６、８のベース角片は、成形されたワイヤ部としても形成される。
少なくともガイド部６、８のヘッド部６３、８３は、弾性プラスチック材料から作られるのが好ましい。
【００４３】
ガイド部６、８のヘッド部６３、８３及びガイド形状部５、７がプラスチックで作られていれば、ガイド部６、８のヘッド部６３、８３及びガイド形状部５、７は相互に異なるプラスチック材料から作られて、要素が互いにスライド動作する際に、望ましくないノイズが発生することを阻止する。
ガイド形状部５、７は、１点のキャビネット家具１のべースボード又は幅木１４に、ネジ９によるボルト留め又はクリップオンにて固定されるのが好ましい。
一実施形態では、ガイド形状部７は少なくとも１つの受入れ溝７２を備え、ガイド形状部７はキャビネット家具１のべースボード又は幅木１４に一体化することも可能である。
【符号の説明】
【００４４】
符号のリスト
１      キャビネット家具
１１    側壁
１２    天井パネル
１３    ベースパネル
１４    ベースボード
１５    走行形状
１６    限界ストッパ又は減衰ユニット
２      スライドドア
３      スライドドア
４      走行デバイス
５      ガイド形状部
５１    ベース要素
５２    脚部
５３    ヘッド要素
５３１  第１の側面
５３２  第２の側面
６      ガイド部
６１    固定脚部
６２    脚部
６３    ヘッド部
６４    溝脚部
６５    受入れ溝
６６    開口
６７    脚部
６８    脚部
６９    溝
７      ガイド形状部
７１    ベース要素
７２    受入れ溝
７３    溝脚部
７５    開口
７８    脚部
８      ガイド部
８１    固定脚部
８２    脚部
８３    ヘッド部
８３１  第１の側面
８３２  第２の側面
８４    喉要素
８７    脚部
８９    溝
９      ネジ
α      鋭角
β      鈍角
γ      鈍角
ｂｋ    ヘッド部の最大垂直幅
ｂｏ    開口の最大垂直幅
【図１】
0006660947.tif 000002
【図２】
0006660947.tif 000003
【図３ａ】
0006660947.tif 000004
【図３ｂ】
0006660947.tif 000005
【図４ａ】
0006660947.tif 000006
【図４ｂ】
0006660947.tif 000007
【図５】
0006660947.tif 000008
【図６】
0006660947.tif 000009
【図７】
0006660947.tif 000010
【図８】
0006660947.tif 000011